(57)【特許請求の範囲】
【請求項１】
表示部に所定の順序で並べて表示された複数のアイテムの中から所望のアイテムを選択可能にするコンピュータ装置であって、
所定の順序で並べられた複数の第１のアイテムを第１の選択状態であることを示すように一覧表示する第１の表示手段と、
前記複数の第１のアイテムの中から２つの第２のアイテムを選択する第２の選択手段と、
前記第２のアイテムを前記第２の選択手段により選択された第２の選択状態であることを示すように表示する第２の表示手段と、
前記第２の選択手段により選択された２つの第２のアイテムのうち前方の第２のアイテムよりも前及び後方の第２のアイテムよりも後に配列された第１のアイテムの第１の選択状態を解除する解除手段と、を具備し、
前記第２の選択手段により２つの第２のアイテムが選択された後、前記第１の表示手段は、前記第２の選択手段により選択された２つの第２のアイテムの間に存在する複数の第１のアイテムを第１の選択状態のままであることを示すように一覧表示することを特徴とするコンピュータ装置。
【請求項２】
前記第１及び第２のアイテムは、動画像データから抽出された静止画像データであり、
前記解除手段による解除処理の後に選択状態にある静止画像データを前記動画像データとは独立して保存する保存手段をさらに備えることを特徴とする請求項１に記載のコンピュータ装置。
【請求項３】
前記第１及び第２のアイテムは、音声ファイルであり、
前記解除手段による解除処理の後に選択状態にある音声ファイルを録音機器から転送させる転送制御手段と、
前記転送された音声ファイルを保存する保存手段とをさらに備えることを特徴とする請求項１に記載のコンピュータ装置。
【請求項４】
前記第１及び第２のアイテムは、記録時間に基づく順序で並べて前記表示部に一覧表示されることを特徴とする請求項１乃至３のいずれか１項に記載のコンピュータ装置。
【請求項５】
表示部に所定の順序で並べて表示された複数のアイテムの中から所望のアイテムを選択可能にするコンピュータ装置の制御方法であって、
所定の順序で並べられた複数の第１のアイテムを第１の選択状態であることを示すように一覧表示する第１の表示工程と、
前記複数の第１のアイテムの中から２つの第２のアイテムを選択する第２の選択工程と、
前記第２のアイテムを前記第２の選択工程により選択された第２の選択状態であることを示すように表示する第２の表示工程と、
前記第２の選択工程により選択された２つの第２のアイテムのうち前方の第２のアイテムよりも前及び後方の第２のアイテムよりも後に配列された第１のアイテムの第１の選択状態を解除する解除工程と、を具備し、
前記第２の選択工程により２つの第２のアイテムが選択された後、前記第１の表示工程では、前記第２の選択工程により選択された２つの第２のアイテムの間に存在する複数の第１のアイテムを第１の選択状態のままであることを示すように一覧表示することを特徴とする制御方法。
【請求項６】
コンピュータを、請求項１乃至４のいずれか１項に記載のコンピュータ装置の各手段として機能させるためのプログラム。
【発明の詳細な説明】
【技術分野】
【０００１】
本発明は、例えば、コンピュータ画面上に並べて表示された画像ファイル等の複数のアイテムから所望のアイテムを選択可能にする技術に関する。
【背景技術】
【０００２】
近年、コンピュータ画面上で画像データを取り扱う操作が一般的になっている。ユーザは、例えば、デジタルカメラで撮影した静止画像データをコンピュータのハードディスクドライブに静止画像ファイルとして保存し、その保存されている複数の静止画像ファイルの中から任意のファイルを選択する操作を行う。また、その選択された静止画像ファイルに対しある操作（例えば印刷等）を指定する操作を行う。
【０００３】
また、もう一つの傾向として、近年のコンピュータの高性能化や記憶ドライブの大容量化に伴って、取り扱える静止画像データをはじめとするデータの数が大きくなってきていることが上げられる。例えば、特許文献１においては、コンピュータ上の動画像データから静止画像データを取り出して保存することが記載されているが、そのようにして取り出された静止画像データは大量なデータの典型的な例と言える。
【特許文献１】特開2005-027021公報
【発明の開示】
【発明が解決しようとする課題】
【０００４】
ここで、コンピュータ画面上に表示された静止画像データ等の複数のアイテムの中から次の操作対象となるアイテムを複数選択する方法としては、選択したいアイテムを１つずつ指定する方法が用いられている。また、選択したいアイテムの先頭と最後尾を指定しその間にあるアイテムを全部選択する方法も用いられている。
【０００５】
しかしながら、選択対象を１つずつ指定する方法では、選択したいアイテムが多数ある場合、その操作が煩雑であり実用的ではない。また、選択したいアイテムの先頭と最後尾を指定してその間のアイテムを選択する方法は、非選択状態にあるものを選択状態にすることを基本に発想されている。このため、多数のアイテムから選択したいアイテムを直感的に認識しにくく使い勝手が良くないという問題点がある。
【０００６】
本発明は、上記課題に鑑みてなされ、多数のアイテムの中から選択したいアイテムを指定する際により直感的に認識でき効率的に選択できる技術の実現を目的としている。
【課題を解決するための手段】
【０００７】
上記課題を解決し、目的を達成するために、本発明のコンピュータ装置は、表示部に所定の順序で並べて表示された複数のアイテムの中から所望のアイテムを選択可能にするコンピュータ装置であって、所定の順序で並べられた複数の第１のアイテムを第１の選択状態であることを示すように一覧表示する第１の表示手段と、前記複数の第１のアイテムの中から２つの第２のアイテムを選択する第２の選択手段と、前記第２のアイテムを前記第２の選択手段により選択された第２の選択状態であることを示すように表示する第２の表示手段と、前記第２の選択手段により選択された２つの第２のアイテムのうち前方の第２のアイテムよりも前及び後方の第２のアイテムよりも後に配列された第１のアイテムの第１の選択状態を解除する解除手段と、を具備し、前記第２の選択手段により２つの第２のアイテムが選択された後、前記第１の表示手段は、前記第２の選択手段により選択された２つの第２のアイテムの間に存在する複数の第１のアイテムを第１の選択状態のままであることを示すように一覧表示する。
【０００８】
また、本発明のコンピュータ装置の制御方法は、表示部に所定の順序で並べて表示された複数のアイテムの中から所望のアイテムを選択可能にするコンピュータ装置の制御方法であって、所定の順序で並べられた複数の第１のアイテムを第１の選択状態であることを示すように一覧表示する第１の表示工程と、前記複数の第１のアイテムの中から２つの第２のアイテムを選択する第２の選択工程と、前記第２のアイテムを前記第２の選択工程により選択された第２の選択状態であることを示すように表示する第２の表示工程と、前記第２の選択工程により選択された２つの第２のアイテムのうち前方の第２のアイテムよりも前及び後方の第２のアイテムよりも後に配列された第１のアイテムの第１の選択状態を解除する解除工程と、を具備し、前記第２の選択工程により２つの第２のアイテムが選択された後、前記第１の表示工程では、前記第２の選択工程により選択された２つの第２のアイテムの間に存在する複数の第１のアイテムを第１の選択状態のままであることを示すように一覧表示する。
【発明の効果】
【０００９】
本発明によれば、多数のアイテムの中から所望のアイテムを直感的且つ効率的に選択することが可能となる。
【発明を実施するための最良の形態】
【００１０】
以下、本発明に係る一実施形態について図面を参照して詳細に説明する。
【００１１】
なお、以下に説明する実施形態は、本発明の実現手段としての一例であり、本発明が適用される装置の構成や各種条件によって適宜修正又は変更されるべきものであり、本発明は以下の実施形態に限定されるものではない。
【００１２】
［第１の実施形態］
第１の実施形態では、動画像データから静止画像データを取り出すプログラム及びハードウェアが本発明に係る動作を実現している。すなわち、本実施形態では、動画像データの高画質化に伴って動画像データから静止画像データを全て取り出し、静止画像データとしても利用できるように、そこから必要な静止画像データを指定して保存する際のファイルの選択機能を実現する。
【００１３】
図１は本発明に係る実施形態として適用する一般的なPC（パーソナルコンピュータ）100のブロック図である。
【００１４】
101はCPU（中央演算装置）である。102はメインメモリである。103はメインバス111と周辺バス112を橋渡しするブリッジ部である。104は表示部であり、ブリッジ部103とはグラフィックポートで接続されている。105は周辺バスに接続された大容量記憶部であり、本実施形態ではハードディスクドライブ（HDD）を使用する。106はキー入力インタフェース（I/F）であり、本実施形態ではキーボードとマウスを使用する。107はネットワークインタフェース（I/F）である。
【００１５】
本実施形態では、PC100上でOS（オペレーティングシステム）が動作する。
【００１６】
ここでOSのプログラムは、記憶部105に記憶されており、PCの電源投入後、メインメモリ102にロードされてCPU101で順次処理される。また、ブリッジ部103、表示部104、記憶部105、キー入力I/F106、ネットワークI/F107を制御してユーザに処理結果を提示する。本実施形態の動画像データから静止画像データを取り出すプログラムは、PC100上のOS上で動作する。
【００１７】
次に、本実施形態のファイル選択動作を図２のフローと図３〜図９のユーザインタフェース画面を用いて説明する。
【００１８】
図２において、プログラムがスタートとすると、S201においてプログラムはユーザから指定された動画像ファイルを記憶部105上からメインメモリ102上にデータとして読み込む。ここでのユーザインタフェース画面は図３及び図４である。図３は本プログラム起動直後の画面である。ユーザはここで「読込み」ボタンをクリックする。「読込み」ボタンがクリックされるとプログラムは図４に示すファイル選択ダイアログを表示する。ユーザはファイル選択ダイアログに目的とするファイル名を入力し、「開く」ボタンをクリックする。「開く」ボタンがクリックされるとプログラムは記憶部105に記憶されている動画像ファイルを読み込み、メインメモリ102に動画像データとしてロードする。
【００１９】
次にS202においてプログラムはメモリ102上にロードされた動画像データをデコードして、動画像データに含まれる全てのコマを静止画像データとして取り出す。ここで得られた一連の静止画像データを縮小してサムネイルを作成し表示部104に一覧表示する。図５にサムネイルを表示した画面を示す。これらのサムネイルは動画像データを元画像として取り出されたものであり、その動画像データの時間軸に沿って一列に並んだ表示形態をとることが可能である。図５では左上から右下に順番に一列にサムネイルが並んでおり、３桁の数字でその順番を表している。図５において各サムネイルに付属しているチェックボックスはその画像を選択されていることを表している（第１の選択手段及び第１の表示手段）。
【００２０】
本実施形態で行う操作は、選択したファイルの保存操作であるが、図５の「保存」ボタンがクリックされると、上記チェックボックスにチェックマークが付いた画像データに対して保存処理が実行される。ユーザはこのチェックマークをオン／オフして保存対象とする画像データを指定する。もちろんユーザはチェックマークを１つずつオン／オフすることも可能であるが、特に本実施形態のように動画像データから取り出した多数の静止画像データを対象とする場合、１つずつチェックマークをオフしていくのは煩雑である。そこで、本実施形態では図２のS203〜S206により表示されているサムネイルから保存対象のサムネイルを選択する。その一連の操作を行うときのユーザインタフェース画面を図５〜図９に示す。例えばユーザが図５において一連のサムネイル004〜018の画像データを保存したい場合、S203において保存したい一連のコマの先頭を選択する（第２の選択状態）。これは、図５の画面では選択したい先頭のサムネイル004をクリックして選択することに相当する。図６にサムネイル004が選択された第２の選択状態を示す。
【００２１】
次にS204においてユーザは図６の状態から「前切り」ボタンをクリックする。「前切り」ボタンがクリックされると、プログラムはサムネイル004より前のサムネイル001〜003のチェックマーク（すなわち第１の選択状態）をオフにする。この状態を図７に示す。
【００２２】
次にS205において保存したい一連のコマの最後尾を選択する。ここでは図７の画面からユーザは選択したい最後尾のサムネイル018をクリックして選択する。図８にサムネイル018が選択された第２の選択状態を示す。
【００２３】
次にS206においてユーザは図８の状態から「後切り」ボタンをクリックする。「後切り」ボタンがクリックされると、プログラムはサムネイル018より後のサムネイル019〜最後までのチェックマーク（すなわち第１の選択状態）をオフにする。この状態を図９に示す。
【００２４】
このようにしてユーザは所望のサムネイル004〜018の画像データを選択状態にすることができる。
【００２５】
次にS207において、選択された画像データを静止画像ファイルとして保存する。ユーザの操作としては、図９において「保存」ボタンをクリックする。プログラムは「保存」がクリックされたら、チェックマークがオンされた画像データを符号化してJPEGフォーマットの静止画像ファイルとして記憶部105に保存する。
【００２６】
以上説明したように、第１の実施形態では、動画像データから取り出して１列に並んだ複数の静止画像データ（サムネイル）の中から保存したい静止画像データを選択するチェックマーク（第１の選択手段）を備える。また、それを解除するためにチェックマークのオフを行う第２の選択手段（「前切り」ボタン及び「後切り」ボタン）を備える。これにより、多数のアイテムの中から所望のアイテムを直感的且つ効率的に選択することが可能となる。
【００２７】
［第２の実施形態］
第２の実施形態は、第１の実施形態と同様に動画像データから静止画像データを取り出すプログラム及びハードウェアが本発明に係る動作を実現しているが、第２の選択状態において複数の画像データが選択される点が異なっている。
【００２８】
図２で説明したハードウェアとOSに関する説明は第１の実施形態と同一であるので説明を省略し、本実施形態のアイテム選択動作を図１０のフローと図１１〜図１３のユーザインタフェース画面を用いて説明する。
【００２９】
図１０において、プログラムがスタートとすると、S1001においてプログラムはユーザから指定された動画像ファイルを記憶部105上からメインメモリ102上にデータとして読み込む。ここでのユーザインタフェース画面は第１の実施形態と同じく図３及び図４である。
【００３０】
次にS1002においてプログラムはメモリ上にロードされた動画像データをデコードして、全てのコマを静止画像データとして取り出す。そこで得られた一連の静止画像データを縮小してサムネイルを作成し表示部104に一覧表示する。このときの画面も第１の実施形態と同じく図５である。
【００３１】
次にS203〜S205において、表示されているサムネイルから保存したいサムネイルを選択する。そのときのユーザインタフェース画面を図１１〜図１３に示す。例えば、ユーザが図５において一連のサムネイル004〜018の画像データを保存したい場合、S1003において保存したい一連のコマを複数選択する（第２の選択状態）。複数の画像データを選択するには、ユーザはサムネイル004をクリックした後、キーボードのシフトキーを押しながらサムネイル018をクリックする方法等がある。複数の画像データが選択された状態を図１１に示す。図１１においては太い実線及び太い点線が第２の選択状態に相当する。
【００３２】
次にS1004においてユーザは図１１の状態から「前切り」ボタンをクリックする。「前切り」ボタンがクリックされると、プログラムはサムネイル004より前のサムネイル001〜003のチェックマーク（すなわち第１の選択状態）をオフにする。この状態を図１２に示す。
【００３３】
次にS1005においてユーザは図１２の状態から今度は「後切り」ボタンをクリックする。「後切り」ボタンがクリックされると、プログラムはサムネイル018より後のサムネイル019〜最後までのチェックマーク（すなわち第１の選択状態）をオフにする。この状態を図１３に示す。
【００３４】
このようにしてユーザは直感的かつ効率的な操作で所望のサムネイル004〜018の画像データを選択状態にすることができる。
【００３５】
次にS1006において、選択された静止画像データを静止画像ファイルとして保存するが、この動作は第１の実施形態と同じである。
【００３６】
以上の第２の実施形態によれば、、動画像データから取り出して１列に並んだ複数の静止画像データ（サムネイル）の中から保存したい静止画像データを選択するチェックマーク（第１の選択手段）を備える。また、それを解除するために複数選択された静止画像データ以外のチェックマークのオフを行う第２の選択手段（「前切り」ボタン及び「後切り」ボタン）とを備える。これにより、多数のアイテムの中から所望のアイテムを直感的且つ効率的に選択することが可能となる。
【００３７】
［第３の実施形態］
第３の実施形態は、PC100に接続された録音機器からPC100に転送されたサウンド（音声）ファイルを保存するプログラム及びハードウェアが本発明に係る動作を実現している。
【００３８】
図２で説明したコンピュータのハードウェアとOSに関する説明は第１の実施形態と同一であるので説明を省略する。一方、録音機器はマイク回路とアナログデジタル変換回路、記憶媒体を有し、コンピュータとはUSB等の通信手段で接続される。
【００３９】
さて、本実施形態の選択動作を図１４のフローと図１５〜図２０のユーザインフェース画面を用いて説明する。
【００４０】
図１４において、プログラムがスタートとすると、S1401においてプログラムは録音機器で録音したサウンドファイルのリストを取得し表示部104に表示する。ここでのユーザインタフェース画面は図１５及び図１６である。図１５は本プログラム起動直後の画面であり、ユーザはここで「リスト」ボタンをクリックする。「リスト」ボタンがクリックされるとプログラムは録音機器からサウンドファイルのリストを取得し、図１６に示すように画面に一覧表示する。ここでこれらのサウンドファイルのリストは録音した時間に沿って最も古いものから順番に一列に並んだ表示形態をとることが可能である。図１６において、各アイテムの左側のチェックボックスはそのアイテムが選択されていることを表している（第１の選択手段及び第１の表示手段）。本実施形態で行う操作は、録音機器からのサウンドファイルの転送及び取得である。図１６の「保存」ボタンがクリックされると、このチェックボックスにチェックマークがついているアイテムに対して転送処理が実行される。ユーザはこのチェックマークをオン／オフして転送処理の対象となるアイテムを指定する。
【００４１】
次にS1402〜S1405において、表示されているアイテムから転送したいアイテムを選択する。そのときのユーザインタフェース画面を図１７〜図２０に示す。例えばユーザが「Velvet Rovolver - 20050102 - 001」から「Velvet Rovolver - 20050108 - 002」の一連のアイテムを保存したいとする。この場合、S1402において上記一連のアイテムの先頭を選択する（第２の選択状態）。図１６に示す画面では選択したいアイテムの先頭である「Velvet Rovolver - 20050102 - 001」をクリックして選択する。図１７に「Velvet Rovolver - 20050102 - 001」が選択された第２の選択状態を示す。
【００４２】
次にS1403においてユーザが図１７の状態から「前切り」ボタンをクリックする。ここでプログラムは「Velvet Rovolver - 20050102 - 001」より前のアイテムのチェックマーク（すなわち第１の選択状態）をオフにする。すなわち「Velvet Rovolver - 20050101 - 001」〜「Velvet Rovolver - 20050101 - 003」のチェックマークを解除する。この状態を図１８に示す。
【００４３】
次にS1404において保存したい一連のアイテムの最後尾のアイテムを選択する。ここでは図１８に示す画面からユーザはスクロールバーを操作して選択したいアイテムを表示した後、最後尾のアイテムである「Velvet Rovolver - 20050108 - 002」をクリックして選択する。図１９に「Velvet Rovolver - 20050108 - 002」が選択された第２の選択状態を示す。
【００４４】
次にS1405においてユーザが図１９の状態から「後切り」ボタンをクリックする。ここでプログラムは「Velvet Rovolver - 20050108 - 002」より後ろのアイテムのチェックマーク（すなわち第１の選択状態）をオフにする。すなわち「Velvet Rovolver - 20050109 - 001」〜最後までのチェックマークを解除する。この状態を図２０に示す。
【００４５】
このようにしてユーザは所望のサウンドファイルである「Velvet Rovolver - 20050102 - 001」から「Velvet Rovolver - 20050108 - 002」を選択状態にすることができる。
【００４６】
次にS1406において選択されたアイテムを転送する。ユーザの操作としては、図２０において「保存」ボタンをクリックする。プログラムは「保存」がクリックされたら、チェックマークがオンであるアイテムを録音機器からコンピュータに転送し保存する。
【００４７】
以上の第３の実施形態によれば、１列に並んだ複数のサウンドファイルリストの中から転送保存したいサウンドファイルを選択するチェックマーク（第１の選択手段）を備えう。また、それを解除するためにチェックマークのオフを行う第２の選択手段（「前切り」ボタン及び「後切り」ボタン）とを備える。これにより、多数のアイテムの中から所望のアイテムを直感的且つ効率的に選択することが可能となる。
【００４８】
［他の実施形態］
以上、本発明に係る実施形態について具体例を用いて詳述したが、本発明は、例えば、システム、装置、方法、プログラム若しくは記憶媒体（記録媒体）等としての実施態様をとることが可能である。具体的には、複数の機器から構成されるシステムに適用しても良いし、また、一つの機器からなる装置に適用しても良い。
【００４９】
また、本発明の目的は、図示の機能ブロック及び動作において、いずれの部分をハードウェア回路により実現し、或いはコンピュータを用いたソフトウェア処理によって実現しても達成されることは言うまでもない。
【００５０】
尚、本発明は、前述した実施形態の機能を実現するソフトウェアのプログラムを、システムあるいは装置に直接あるいは遠隔から供給することによって達成される場合も含む。その場合、システム等のコンピュータが該プログラムコードを読み出して実行することになる。
【００５１】
従って、本発明の機能処理をコンピュータで実現するために、該コンピュータにインストールされるプログラムコード自体も本発明を実現するものである。つまり、本発明は、本発明の機能処理を実現するためのコンピュータプログラム自体も含まれる。
【００５２】
その場合、プログラムの機能を有していれば、オブジェクトコード、インタプリタにより実行されるプログラム、OSに供給するスクリプトデータ等の形態であっても良い。
【００５３】
プログラムを供給するための記録媒体（記憶媒体）としては、例えば、フレキシブルディスク、ハードディスク、光ディスク、光磁気ディスク等がある。その他にも、MO、CD-ROM、CD-R、CD-RW、磁気テープ、不揮発性のメモリカード、ROM、DVD(DVD-ROM、DVD-R)等がある。
【００５４】
その他、プログラムの供給方法としては、クライアントコンピュータのブラウザを用いてインターネットのホームページに接続し、該ホームページから本発明のコンピュータプログラムそのものをダウンロードすることもできる。また圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるWWWサーバも、本発明に含まれるものである。
【００５５】
また、本発明のプログラムを暗号化してCD-ROM等の記憶媒体に格納してユーザに配布し、所定の条件をクリアしたユーザが、インターネットを介してホームページから暗号化を解く鍵情報をダウンロードすることもできる。この場合、ダウンロードした鍵情報を使用することにより暗号化されたプログラムを実行してコンピュータにインストールさせて実現する。
【００５６】
また、コンピュータが、読み出したプログラムを実行することによって、前述した実施形態の機能が実現される他、そのプログラムの指示に基づき、コンピュータ上で稼動しているOS等が、実際の処理の一部又は全部を行うことによっても実現され得る。
【００５７】
更に、記録媒体から読み出されたプログラムが、コンピュータに挿入された機能拡張ボードやコンピュータに接続された機能拡張ユニットのメモリに書き込まれた後、該ボード等のCPU等が実際の処理の一部又は全部を行うことによっても実現される。
【図面の簡単な説明】
【００５８】
【図１】本発明を実現する実施形態のハードウェア構成を示すブロック図である。
【図２】本発明に係る第１の実施形態の選択動作を示すフローチャートである。
【図３】第１の実施形態の選択動作におけるユーザインタフェース画面（その１）を例示する図である。
【図４】第１の実施形態の選択動作におけるユーザインタフェース画面（その２）を例示する図である。
【図５】第１の実施形態の選択動作におけるユーザインタフェース画面（その３）を例示する図である。
【図６】第１の実施形態の選択動作におけるユーザインタフェース画面（その４）を例示する図である。
【図７】第１の実施形態の選択動作におけるユーザインタフェース画面（その５）を例示する図である。
【図８】第１の実施形態の選択動作におけるユーザインタフェース画面（その６）を例示する図である。
【図９】第１の実施形態の選択動作におけるユーザインタフェース画面（その７）を例示する図である。
【図１０】本発明に係る第２の実施形態の選択動作を示すフローチャートである。
【図１１】第２の実施形態の選択動作におけるユーザインタフェース画面（その１）を例示する図である。
【図１２】第２の実施形態の選択動作におけるユーザインタフェース画面（その２）を例示する図である。
【図１３】第２の実施形態の選択動作におけるユーザインタフェース画面（その３）を例示する図である。
【図１４】本発明に係る第３の実施形態の選択動作を示すフローチャートである。
【図１５】第３の実施形態の選択動作におけるユーザインタフェース画面（その１）を例示する図である。
【図１６】第３の実施形態の選択動作におけるユーザインタフェース画面（その２）を例示する図である。
【図１７】第３の実施形態の選択動作におけるユーザインタフェース画面（その３）を例示する図である。
【図１８】第３の実施形態の選択動作におけるユーザインタフェース画面（その４）を例示する図である。
【図１９】第３の実施形態の選択動作におけるユーザインタフェース画面（その５）を例示する図である。
【図２０】第３の実施形態の選択動作におけるユーザインタフェース画面（その６）を例示する図である。
【符号の説明】
【００５９】
100  PC
101  CPU
102  メインメモリ
103  ブリッジ部
104  表示部
105  記憶部
106  キー入力インタフェース部
107  ネットワークインタフェース部
111  メインバス
112  周辺バス
【図１】
0004732067.tif 000002
【図２】
0004732067.tif 000003
【図３】
0004732067.tif 000004
【図４】
0004732067.tif 000005
【図５】
0004732067.tif 000006
【図６】
0004732067.tif 000007
【図７】
0004732067.tif 000008
【図８】
0004732067.tif 000009
【図９】
0004732067.tif 000010
【図１０】
0004732067.tif 000011
【図１１】
0004732067.tif 000012
【図１２】
0004732067.tif 000013
【図１３】
0004732067.tif 000014
【図１４】
0004732067.tif 000015
【図１５】
0004732067.tif 000016
【図１６】
0004732067.tif 000017
【図１７】
0004732067.tif 000018
【図１８】
0004732067.tif 000019
【図１９】
0004732067.tif 000020
【図２０】
0004732067.tif 000021